(57)【要約】  【課題】  移動無線局がサービスエリア内を移動しても通信状態を良好に保つことのできる無線通信システムを提供する。  【解決手段】  送信中の移動無線局２のＣＰＵ２１０は、周期的に受信回路２０２により受信電波の電界強度を通知させ、受信電波の電界強度が予め設定された値より低くなった場合、通信中の基地局１との距離が遠くなったと判断し、受信回路２０２を制御して、通信中の基地局１以外の基地局１の送信周波数の電波を受信させ、受信した電波の電界強度を検出させ、一番電界強度の強い基地局１の電波を受信させ、この電波のＤＴＭＦ信号のデータが「送信許可」であれば、この基地局１へ通信先を切り替え、「送信禁止」であれば、電界強度の強い順に電波を受信し、ＤＴＭＦ信号のデータが「送信許可」である基地局１に通信先を切り替えるようにする。【選択図】  図１
2005210304.tif 000002
【特許請求の範囲】
【請求項１】
複数の移動無線局装置と、複数の基地局装置と、前記複数の基地局装置と接続され、前記移動無線局装置からの音声信号を前記複数の基地局装置の全てに出力する制御を行う基地局制御装置とを備え、
前記複数の基地局装置が、それぞれ異なる送信周波数及び受信周波数を使って、前記移動無線局装置との間で通信を行う無線通信システムであって、
前記基地局装置は、前記移動無線局装置からの送信を受け付けることができるときは送信許可を示すデータ信号を送信し、前記移動無線局装置からの送信を受け付けることができないときは送信禁止を示すデータ信号を送信し、
前記移動無線局装置は、通信中の前記基地局装置からの電波の受信状態を監視し、この受信状態が予め設定された状態より悪くなったとき、前記通信中の基地局装置以外の基地局装置で、電波の受信状態が良く、かつ前記送信許可を示すデータ信号を送信している前記基地局装置に通信先を切り替えることを特徴とする無線通信システム。
【請求項２】
前記基地局装置は、受信した電波を復調して受信信号を出力する受信信号出力手段と、前記受信信号を音声信号とデータ信号に分離する分離手段と、前記データ信号をデータに変換する変換手段と、指示されたデータ信号を生成して前記音声信号と合成する合成手段と、前記合成手段で合成した信号を変調して電波として送信する送信手段と、前記移動無線局装置からの送信を受け付けることができるときは送信許可を示すデータ信号を送信し、前記移動無線局装置からの送信を受け付けることができないときは送信禁止を示すデータ信号を送信するように制御する制御手段とを有し、
前記移動無線局装置は、受信した電波を復調して受信信号を出力する受信信号出力手段と、前記受信信号の電界強度を検出する電界強度検出手段と、前記受信信号を音声信号とデータ信号に分離する分離手段と、前記データ信号をデータに変換する変換手段と、前記音声信号を入力する音声信号入力手段と、前記データに基づいて生成されたデータ信号を前記音声入力手段から入力される音声信号と合成する合成手段と、前記合成手段で合成した信号を変調して電波として送信する送信手段と、前記基地局装置と通信中に前記受信信号の電界強度を監視し、この電界強度が予め設定された値より低くなったとき、前記通信中の基地局装置以外の基地局装置の前記受信信号の電界強度を検出し、検出した電界強度の強い順に前記基地局装置からの電波を受信し、前記データ信号が送信許可を示すものであれば、この基地局装置に送信先を切り替える制御を行う制御手段とを有することを特徴とする請求項１に記載の無線通信システム。
【発明の詳細な説明】
【技術分野】
【０００１】
本発明は、基地局と移動無線局とを備えた無線通信システムに関し、特に、基地局を複数設置してサービスエリアを拡大した無線通信システムに関するものである。
【背景技術】
【０００２】
従来、無線通信システムにおいて基地局を複数設置してサービスエリアを拡大することが行われており、移動無線局から基地局への送信の周波数を全ての移動無線局及び基地局で同一とし、どの基地局のエリア内でも移動無線局から基地局に発呼して通信できるようになっている（例えば特許文献１参照）。
【特許文献１】特開２０００−１３８４４号公報
【発明の開示】
【発明が解決しようとする課題】
【０００３】
しかしながら、このような従来の無線通信システムにおいては、どの基地局のエリア内でも移動無線局から基地局に発呼して通信できるものの、通信中に基地局から離れてしまうと受信状態が悪くなり、近くに通信可能な基地局があっても、自動で通信先基地局を切替えることは行われず、近くの基地局と通信するには、通信中の基地局との接続を切断して新しい基地局への接続を行わなければならなかった。
【０００４】
本発明は、従来の問題を解決するためになされたもので、通信中の基地局との通信状態が悪くなったとき、より通信状態の良い基地局へ自動的に通信先を切り替え、移動無線局がサービスエリア内を移動しても通信状態を良好に保つことのできる無線通信システムを提供することを目的とする。
【課題を解決するための手段】
【０００５】
本発明の無線通信システムは、複数の移動無線局装置と、複数の基地局装置と、前記複数の基地局装置と接続され、前記移動無線局装置からの音声信号を前記複数の基地局装置の全てに出力する制御を行う基地局制御装置とを備え、前記複数の基地局装置が、それぞれ異なる送信周波数及び受信周波数を使って、前記移動無線局装置との間で通信を行う無線通信システムであって、前記基地局装置は、前記移動無線局装置からの送信を受け付けることができるときは送信許可を示すデータ信号を送信し、前記移動無線局装置からの送信を受け付けることができないときは送信禁止を示すデータ信号を送信し、前記移動無線局装置は、通信中の前記基地局装置からの電波の受信状態を監視し、この受信状態が予め設定された状態より悪くなったとき、前記通信中の基地局装置以外の基地局装置で、電波の受信状態が良く、かつ前記送信許可を示すデータ信号を送信している前記基地局装置に通信先を切り替える構成を有している。
【０００６】
この構成により、移動無線局装置により、通信中の基地局装置からの電波の受信状態が悪くなると、電波の受信状態が良く、かつ移動無線局装置からの送信を受け付け可能な基地局装置へ自動的に通信先が切り替えられることとなる。
【０００７】
ここで、前記基地局装置は、受信した電波を復調して受信信号を出力する受信信号出力手段と、前記受信信号を音声信号とデータ信号に分離する分離手段と、前記データ信号をデータに変換する変換手段と、指示されたデータ信号を生成して前記音声信号と合成する合成手段と、前記合成手段で合成した信号を変調して電波として送信する送信手段と、前記移動無線局装置からの送信を受け付けることができるときは送信許可を示すデータ信号を送信し、前記移動無線局装置からの送信を受け付けることができないときは送信禁止を示すデータ信号を送信するように制御する制御手段とを有し、前記移動無線局装置は、受信した電波を復調して受信信号を出力する受信信号出力手段と、前記受信信号の電界強度を検出する電界強度検出手段と、前記受信信号を音声信号とデータ信号に分離する分離手段と、前記データ信号をデータに変換する変換手段と、前記音声信号を入力する音声信号入力手段と、前記データに基づいて生成されたデータ信号を前記音声入力手段から入力される音声信号と合成する合成手段と、前記合成手段で合成した信号を変調して電波として送信する送信手段と、前記基地局装置と通信中に前記受信信号の電界強度を監視し、この電界強度が予め設定された値より低くなったとき、前記通信中の基地局装置以外の基地局装置の前記受信信号の電界強度を検出し、検出した電界強度の強い順に前記基地局装置からの電波を受信し、前記データ信号が送信許可を示すものであれば、この基地局装置に送信先を切り替える制御を行う制御手段とを有する構成とした。
【０００８】
この構成により、移動無線局装置は、受信電波により電界強度の強く、かつ送信を受け付け可能な基地局を探し、該当する基地局装置へ自動的に送信先を切り替えて通信先基地局装置を切り替えることとなる。
【発明の効果】
【０００９】
本発明によれば、移動無線局装置が、通信中の基地局装置からの電波の受信状態が悪くなると、受信状態の良い、かつ送信を受け付け可能な基地局装置に通信先を切り替えているので、移動無線局装置がサービスエリア内を移動しても通信状態を良好に保つことができる。
【発明を実施するための最良の形態】
【００１０】
以下、本発明の実施の形態の無線通信システムについて、図面を用いて説明する。
【００１１】
図１は本発明の一実施の形態の無線通信システムの基地局及び移動無線局を示す図である。
【００１２】
図１において、基地局１は、移動無線局２からの電波を受信する受信アンテナ１０１と、受信アンテナ１０１で受信した電波を復調して受信信号を出力する受信回路１０２と、受信回路１０２の出力する受信信号をフィルタリングして音声信号を取り出し後述の基地局制御装置に出力する音声フィルタ回路１０３と、受信回路１０２の出力する受信信号をフィルタリングしてＤＴＭＦ（Dual Tone Multi-Frequency）信号を取り出すＤＴＭＦフィルタ回路１０４と、ＤＴＭＦフィルタ回路１０４で取り出したＤＴＭＦ信号をデータに変換するＤＴＭＦ変換回路１０５と、入力されたデータからＤＴＭＦ信号を生成するＤＴＭＦ生成回路１０６と、基地局制御装置から入力される音声信号とＤＴＭＦ生成回路１０６が生成したＤＴＭＦ信号とを合成する加算器１０７と、加算器１０７で合成した信号を変調して送信電波を出力する送信回路１０８と、送信回路１０８が出力する送信電波を送信する送信アンテナ１０９と、基地局制御装置の制御信号によりこれら各回路を制御して基地局としての動作を行わせるＣＰＵ（Central Processing Unit）１１０とを備えている。
【００１３】
移動無線局２は、基地局１からの電波を受信する受信アンテナ２０１と、受信アンテナ２０１で受信した電波を復調して受信信号を出力する受信回路２０２と、受信回路２０２の出力する受信信号をフィルタリングして音声信号を取り出し図示しないイヤホンなどの音声出力部へ出力する音声フィルタ回路２０３と、受信回路２０２の出力する受信信号をフィルタリングしてＤＴＭＦ信号を取り出すＤＴＭＦフィルタ回路２０４と、ＤＴＭＦフィルタ回路２０４で取り出したＤＴＭＦ信号をデータに変換するＤＴＭＦ変換回路２０５と、入力されたデータからＤＴＭＦ信号を生成するＤＴＭＦ生成回路２０６と、図示しないマイクなどの音声入力部が出力する音声信号とＤＴＭＦ生成回路２０６が生成したＤＴＭＦ信号とを合成する加算器２０７と、加算器２０７で合成した信号を変調して送信電波を出力する送信回路２０８と、送信回路２０８が出力する送信電波を送信する送信アンテナ２０９と、これら各回路を制御して無線移動局としての動作を行わせるＣＰＵ２１０とを備えている。
【００１４】
図２は、複数の基地局１を制御してサービスエリアを拡大する基地局制御装置３を示す図である。
【００１５】
図２に示すように、基地局制御装置３は、各基地局１ａ〜１ｃに制御信号を送信して各基地局１ａ〜１ｃを制御しながら移動無線局２からの音声信号を各基地局１ａ〜１ｃへ送信する制御を行うＣＰＵ３０１と、各基地局１ａ〜１ｃからの音声信号を入力され、ＣＰＵ３０１の制御により入力された音声信号をミキシングしたりスイッチングしたりして各基地局１ａ〜１ｃに出力する音声マトリクススイッチャー３０２とを備えている。
【００１６】
このような無線通信システムにおいて、各基地局１ａ〜１ｃは、移動無線局２との間の送信と受信にそれぞれ１つずつの周波数が、各基地局１ａ〜１ｃで異ならせて割り当てられており、移動無線局２からの音声信号の送信が無い間も、予め設定された周期で予め設定された時間だけ電波を送信するようになっている。
【００１７】
例えば、基地局１ａは、送信用にｆ１１、受信用にｆ１２という周波数が割り当てられ、基地局１ｂは、送信用にｆ２１、受信用にｆ２２という周波数が割り当てられ、基地局１ｃは、送信用にｆ３１、受信用にｆ３２という周波数が割り当てられる。
【００１８】
そして、移動無線局２は、各基地局１ａ〜１ｃの送信用及び受信用周波数を対で記憶しており、基地局１からの音声信号の受信が無い間は、各基地局１ａ〜１ｃの送信周波数（基地局１から移動無線局２への送信周波数、ｆ１１、ｆ２１、ｆ３１）の電波を順次受信し、その電界強度を比較し、各基地局１ａ〜１ｃからの電波の電界強度の順位を記憶するとともに、電界強度の一番強い基地局の電波を受信するように受信回路２０２を設定するようになっている。また、送信要求時には電界強度の一番強い基地局１の受信周波数（移動無線局２から基地局１への送信周波数）により送信要求を行うようになっている。
【００１９】
具体的には、各基地局１ａ〜１ｃのＣＰＵ１１０は、送信回路１０８を制御して、それぞれの送信周波数であるｆ１１、ｆ２１、ｆ３１を使って、予め設定された周期で、予め設定された時間だけ電波を送信させる。
【００２０】
移動無線局２のＣＰＵ２１０は、受信回路２０２を制御して、予め設定された周期で、各基地局１ａ〜１ｃの送信周波数ｆ１１〜ｆ３１の電波を受信させ、受信した電波の電界強度を検出させ、検出された各基地局１ａ〜１ｃの送信電波を電界強度の強い順に順位付けして内蔵のＲＡＭ（Random Access Memory）に記憶しておくとともに、電界強度の一番強い基地局の電波を受信するように受信回路２０２を制御しておく。
【００２１】
例えば、図３のような場合、移動無線局２ａの位置では、基地局１ａに最も近くて電界強度も基地局１ａからの電波の電界強度が最も強く、基地局１ｂ、基地局１ｃの順に距離が遠くなり、電界強度も弱くなっている。
【００２２】
このため、移動無線局２ａのＣＰＵ２１０は、受信回路２０２を、基地局１ａの電波の周波数ｆ１１を受信するように制御し、この状態は次に各基地局１ａ〜１ｃの電波の電界強度を順位付けするまで保たれる。移動無線局２ｂの位置の場合も、移動無線局２ａと同様の状態であるとする。
【００２３】
そして、このようにして、現在位置の基地局１ａ〜１ｃからの電波の電界強度により、電界強度の順位を書き替えている移動無線局２ａのＣＰＵ２１０が、図３の位置のときに、図示しない送信ボタンが押下されたことを検知すると、図４に示すように、記憶している基地局１ａ〜１ｃからの電波の電界強度の順位を参照し、最も電界強度が強い電波の周波数ｆ１１と対になる、移動無線局２ａから基地局１ａへの送信用周波数ｆ１２を読み出し、ＤＴＭＦ生成回路２０６に「移動無線局送信」を示すＤＴＭＦ信号を生成させ、加算器２０７で音声入力部が出力する音声信号と合成し、送信回路２０８により周波数ｆ１２で合成した信号を送信させる。
【００２４】
基地局１ａでは、受信回路１０２が移動無線局２ａからの電波を受信したことを検知し、受信した電波を復調した受信信号を音声フィルタ回路１０３及びＤＴＭＦフィルタ回路１０４に出力する。
【００２５】
音声フィルタ回路１０３は、入力された信号から音声信号を取り出して基地局制御装置３に出力する。ＤＴＭＦフィルタ回路１０４は、入力された信号からＤＴＭＦ信号を取り出してＤＴＭＦ変換回路１０５に出力する。
【００２６】
ＤＴＭＦ変換回路１０５は、入力された信号からＤＴＭＦ信号を検知し、検知したＤＴＭＦ信号をデータに変換してＣＰＵ１１０に通知する。
【００２７】
ＣＰＵ１１０は、ＤＴＭＦ変換回路１０５から通知されたデータを判定し、通知されたデータが「移動無線局送信」を示すものであると、基地局制御装置３に送信要求を送信する。
【００２８】
基地局制御装置３のＣＰＵ３０１は、基地局１ａから送信要求を受信すると、送信要求を受け入れることができる状態かを判定し、送信要求を受け入れることができる状態であれば、基地局１ａに送信許可を送信するとともに、基地局１ｂ，１ｃには、送信開始を送信し、音声マトリクススイッチャー３０２を基地局１ａからの入力音声信号を全ての基地局１ａ〜１ｃへの音声信号出力へ接続するように設定する。
【００２９】
基地局１ａのＣＰＵ１１０は、基地局制御装置３から送信許可を受信すると、ＤＴＭＦ生成回路１０６に「送信禁止」を示すＤＴＭＦ信号を生成させ、加算器１０７で基地局制御装置３が出力する音声信号と合成し、送信回路１０８により基地局１ｂの送信用の周波数ｆ１２で合成した信号を送信させる。
【００３０】
基地局１ｂ，１ｃの各ＣＰＵ１１０は、基地局制御装置３から送信開始を受信すると、ＤＴＭＦ生成回路１０６に「送信許可」を示すＤＴＭＦ信号を生成させ、加算器１０７で基地局制御装置３から出力される基地局１ｂからの音声信号と合成し、送信回路１０８により各送信周波数ｆ２２，ｆ３２の電波で送信開始する。
【００３１】
移動無線局２ａの受信回路２０２は、基地局１ａからの電波を受信したことを検知し、受信した電波を復調した受信信号を音声フィルタ回路２０３及びＤＴＭＦフィルタ回路２０４に出力する。
【００３２】
音声フィルタ回路２０３は、入力された信号から音声信号を取り出して音声出力部に出力する。ＤＴＭＦフィルタ回路２０４は、入力された信号からＤＴＭＦ信号を取り出してＤＴＭＦ変換回路２０５に出力する。
【００３３】
ＤＴＭＦ変換回路２０５は、入力された信号からＤＴＭＦ信号を検知し、検知したＤＴＭＦ信号をデータに変換してＣＰＵ２１０に通知する。
【００３４】
ＣＰＵ２１０は、ＤＴＭＦ変換回路２０５から通知されたデータを判定し、通知されたデータが「送信禁止」を示すものであると、自分の送信した「移動無線局送信」が受け入れられたと判断し、送信を続ける。
【００３５】
また、移動無線局２ｂの受信回路２０２は、基地局１ｂからの電波を受信したことを検知し、受信した電波を復調した受信信号を音声フィルタ回路２０３及びＤＴＭＦフィルタ回路２０４に出力する。
【００３６】
音声フィルタ回路２０３は、入力された信号から音声信号を取り出して音声出力部に出力する。ＤＴＭＦフィルタ回路２０４は、入力された信号からＤＴＭＦ信号を取り出してＤＴＭＦ変換回路２０５に出力する。
【００３７】
ＤＴＭＦ変換回路２０５は、入力された信号からＤＴＭＦ信号を検知し、検知したＤＴＭＦ信号をデータに変換してＣＰＵ２１０に通知する。
【００３８】
ＣＰＵ２１０は、ＤＴＭＦ変換回路２０５から通知されたデータを判定し、通知されたデータが「送信禁止」を示すものであると、送信ボタンが押下されたことを検知しても「移動無線局送信」を送信しないようにする。これにより、同じ基地局への同時接続をなくすことができる。
【００３９】
また、基地局１ｂ，１ｃからの電波を受信した移動無線局２では、受信した電波から取り出したＤＴＭＦ信号が「送信許可」を示すものとなり、ＣＰＵ２１０は、送信ボタンが押下されたことを検知すると「移動無線局送信」を送信する。
【００４０】
この「移動無線局送信」を受信した基地局１のＣＰＵ１１０は、上述の基地局１ａと同様に、基地局制御装置３に送信要求を送信する。
【００４１】
この送信要求を受信した基地局制御装置３のＣＰＵ３０１は、上述の場合と同様に、送信要求を受け入れることができる状態であれば、基地局１に送信許可を送信するとともに、音声マトリクススイッチャー３０２を、基地局１ａからの入力音声信号と送信要求を送信してきた基地局１からの入力音声とをミキシングして全ての基地局１ａ〜１ｃへの音声信号出力へ接続するように設定する。
【００４２】
基地局制御装置３から送信許可を受信した基地局１のＣＰＵ１１０は、「送信禁止」を示すＤＴＭＦ信号を音声信号と合成し、合成した信号を送信する。
【００４３】
このようにして、異なる基地局を介しての複数の移動無線局の同時通話が可能となる。
【００４４】
また、送信を行っている移動無線局２ａのＣＰＵ２１０は、周期的に受信回路２０２により受信電波の電界強度を通知させ、受信電波の電界強度が予め設定された値より低くなった場合、図５に示すように、通信中の基地局１ａとの距離が遠くなったと判断し、受信回路２０２を制御して、通信中の基地局１ａ以外の基地局１ｂ、１ｃの送信周波数ｆ２１、ｆ３１の電波を受信させ、受信した電波の電界強度を検出させる。
【００４５】
そして、ＣＰＵ２１０は、検出した電界強度が一番強い基地局、図５の場合基地局１ｂ、の送信周波数ｆ２１の電波を受信するように受信回路２０２を制御し、ＤＴＭＦ変換回路２０５から通知される受信した基地局１ｂからの電波のＤＴＭＦ信号のデータが「送信許可」であるか判定する。
【００４６】
ＤＴＭＦ信号のデータが「送信許可」であれば、ＣＰＵ２１０は、図６に示すように、送信回路２０８を制御して、基地局１ａへの送信を止めさせ、ＤＴＭＦ生成回路２０６に「移動無線局送信」を示すＤＴＭＦ信号を生成させ、加算器２０７で音声入力部が出力する音声信号と合成し、送信回路２０８により基地局１ｂの受信周波数ｆ１２で合成した信号を送信させる。
【００４７】
この「移動無線局送信」を受信した基地局１ｂのＣＰＵ１１０は、上述の基地局１ａと同様に、基地局制御装置３に送信要求を送信する。
【００４８】
この送信要求を受信した基地局制御装置３のＣＰＵ３０１は、上述の場合と同様に、送信要求を受け入れることができる状態であれば、基地局１ｂに送信許可を送信するとともに、音声マトリクススイッチャー３０２を、基地局１ｂからの入力音声信号を送信中の音声信号があればその音声信号とミキシングして、全ての基地局１ａ〜１ｃへの音声信号出力へ接続するように設定する。
【００４９】
基地局制御装置３からの送信許可を受信した基地局１ｂのＣＰＵ１１０は、「送信禁止」を示すＤＴＭＦ信号を音声信号と合成し、合成した信号を送信する。
【００５０】
一方、基地局１ａのＣＰＵ１１０は、受信回路１０２により電波の受信ができなくなったことを検出すると、基地局制御装置３に送信終了を送信するとともに、「送信許可」を示すＤＴＭＦ信号を音声信号と合成し、合成した信号を送信する。
【００５１】
この送信終了を受信した基地局制御装置３のＣＰＵ３０１は、他に送信中の基地局が無いか判定し、他に送信中の基地局が無ければ、音声マトリクススイッチャー３０２を音声信号出力無しの状態に設定し、全ての基地局１ａ〜１ｃに送信終了を送信する。
【００５２】
基地局制御装置３から送信終了を受信した基地局１ａ〜１ｃのＣＰＵ１１０は、送信回路１０８による電波の送信を停止し、予め設定された周期で、予め設定された時間だけ電波を送信させる動作をする。
【００５３】
他に送信中の基地局が有れば、ＣＰＵ３０１は、送信終了を送信してきた基地局１ａからの入力音声信号を出力しないように音声マトリクススイッチャー３０２を設定する。
【００５４】
また、移動無線局２ａのＣＰＵ２１０は、電界強度が一番強い基地局１ｂからの電波のＤＴＭＦ信号のデータが「送信禁止」であると、電界強度が強い順に基地局の送信している電波のＤＴＭＦ信号のデータが「送信許可」であるか判定し、「送信許可」のＤＴＭＦ信号を送信している基地局が有れば、上述の基地局１ｂからの電波のＤＴＭＦ信号のデータが「送信許可」である場合と同様にして通信先を基地局１ａから切り替え、「送信許可」のＤＴＭＦ信号を送信している基地局が無ければ、基地局１ａとの通信を続ける。
【００５５】
このように本実施の形態においては、通信中の移動無線局２が、受信している基地局１からの電波の電界強度を監視し、この電界強度が予め設定された値より低くなった場合、通信中以外の基地局１の中から、受信した電波の電界強度が一番強い電波を送信している基地局１からの電波のＤＴＭＦ信号のデータを判定し、データが「送信許可」を示すものである基地局１に通信先を切り替えているので、移動無線局２がサービスエリア内を移動しても混信することなく通信状態を良好に保つことができる。
【００５６】
また、移動無線局２は、受信電波により、電界強度の強い、かつＤＴＭＦ信号のデータが「送信許可」を示す基地局を探し、その後、該当する基地局装置に送信先を切り替えているので、切り替えによる雑音を減少させることができる。
【００５７】
なお、本実施の形態において、移動無線局２が、ミュート回路を設けるなどして、切り替え処理中に受信した音声を音声出力部へ出力しないようにすれば、切り替え処理時の雑音を音声出力部へ出力しないようにすることができる。
【産業上の利用可能性】
【００５８】
以上のように、本発明に係る無線通信システムは、移動無線局がサービスエリア内を移動しても通信状態を良好に保つことができるという効果を有し、基地局を複数設置してサービスエリアを拡大した無線通信システム等として有用である。
【図面の簡単な説明】
【００５９】
【図１】本発明の一実施の形態の無線通信システムの基地局及び移動無線局のブロック図
【図２】本発明の一実施の形態の無線通信システムの基地局制御装置のブロック図
【図３】本発明の一実施の形態の無線通信システムの移動無線局の動作を説明する図
【図４】本発明の一実施の形態の無線通信システムの移動無線局からの送信の動作を説明する図
【図５】本発明の一実施の形態の無線通信システムの移動無線局が移動したときの状態を説明する図
【図６】本発明の一実施の形態の無線通信システムの移動無線局による基地局の切り替え動作を説明する図
【符号の説明】
【００６０】
１、１ａ〜１ｃ  基地局
１０１  受信アンテナ
１０２  受信回路
１０３  音声フィルタ回路
１０４  ＤＴＭＦフィルタ回路
１０５  ＤＴＭＦ変換回路
１０６  ＤＴＭＦ生成回路
１０７  加算器
１０８  送信回路
１０９  送信アンテナ
１１０  ＣＰＵ
２、２ａ、２ｂ  移動無線局
２０１  受信アンテナ
２０２  受信回路
２０３  音声フィルタ回路
２０４  ＤＴＭＦフィルタ回路
２０５  ＤＴＭＦ変換回路
２０６  ＤＴＭＦ生成回路
２０７  加算器
２０８  送信回路
２０９  送信アンテナ
２１０  ＣＰＵ
３  基地局制御装置
３０１  ＣＰＵ
３０２  音声マトリクススイッチャー
【図１】
2005210304.tif 000003
【図２】
2005210304.tif 000004
【図３】
2005210304.tif 000005
【図４】
2005210304.tif 000006
【図５】
2005210304.tif 000007
【図６】
2005210304.tif 000008